(57)【要約】【課題】  流体輸送管路に多数の粒状物を別々に密封した状態で流し込みこれを次々と能率よく輸送する。【解決手段】  高圧の流体輸送管路１に粒状物送込装置４を取付けて管路内の流体を密封し、搬送ベルト５の上面に連続して設けた多数の収納孔６に粒状物１８を収納した後、これを密封しながら搬送ベルト５を管路１内に移動することにより収納孔６内の粒状物１８を順次管路１内の流れに送出するようにする。【選択図】図１
2013023386.tif 000002
【特許請求の範囲】
【請求項１】
高圧の流体輸送管路１に粒状物送込み装置４を、結合して搬送ベルト５、同用プーリー７、上下の押圧ベルト１０及び１４、同用プーリー１１及び１５等で流体を密封し、搬送ベルト５の上面に連続して設けた多数の収納孔６に粒状物１８を収納した後、この搬送ベルト５の上面を押圧ベルト１０で押圧して、収納孔６を密封しながら搬送ベルト５を同用プーリー７の回転により管路１内に移動することにより収納孔６内の粒状物１８を順次管路１内の流れに送出するようにすることを特徴とする高圧の流体輸送管路を密封しながらこの管路に粒状物を連続して送込む方法。
【発明の詳細な説明】
【技術分野】
【０００１】  本発明は磁石、金属部材、医薬食品等の粒状物を流体輸送する分野。
【背景技術】
【０００２】  粒状物を流体輸送管路で送込む場合はこれを副管路に入れ、流れを切り替えて粒状物を本管路に戻す必要があって、多数の粒状物を連続して管路に送込む煩雑な動作が多く行われている。
【発明の表示】
【発明が解決しようとする課題】
【０００３】  本発明は前記管路の切り替えの煩雑さの代りに粒状物を連続、円滑に輸送しようとするものである。
【課題を解決するための手段】
【０００４】  本発明は高圧の流体輸送管路１に粒状物送込装置４を結合して搬送ベルト５、同用プーリー７、上下の押圧ベルト１０及び１４、同用プーリー１１及び１５等で流体を密封し、搬送ベルト５の上面に連続して設けた多数の収納孔６に粒状物１８を収納した後、この搬送ベルト５の上面を押圧ベルト１０で押圧して、収納孔６を密封しながら搬送ベルト５を同用プーリー７の回転により管路１内に移動することにより収納孔６内の粒状物１８を順次管路１内の流れに送出するようにするものである。
【発明の効果】
【０００５】  本発明により流体輸送管路内で互いに接触又は接合してはならない磁石及び粘着物等の粒状物を連続して次々と流体輸送することが出来る。
【図面の簡単な説明】
【０００６】
【図１】本発明の実施形態の実施例として、流体輸送管路に粒状物送込装置を取付けた状態の縦断面図
【図２】図１の平面図
【図３】図１のＸ−Ｘ断面図
【発明を実施するための形態】
【０００７】  高圧の流体輸送管路１に粒状物送込装置４を結合して搬送ベルト５の外周面、搬送ベルト用プーリー７の側面、上下の押圧ベルト１０及び１４の外周面及び押圧ベルト用プーリー１１及び１５の側面で管路１内の流体を密封し、搬送ベルト５の上面に連続して設けた多数の収納孔６に磁石、金属部材、医薬食品等の粒状物１８を収納した後、この搬送ベルト５の上面を上部押圧ベルト１０で押圧することにより収納孔６を密封しながら搬送ベルト５を駆動用減速モーター９の動力で搬送ベルト用プーリー７を回転させて管路１内に引き込む、従って収納孔６内の粒状物１８は密封されたまま、順次管路１内の流れの中に送り出されるようになる。そして高圧の流体により管路の出口３より次工程に移送される。
【０００８】  搬送ベルト５の下部も下部押圧ベルト１４で押圧されており、収納孔６は密封されており、上下の押圧ベルト１０及び１４の外周はフェルト１７により密封されている。
【符号の説明】
【０００９】  １・・・流体輸送管路                      ２・・・管路の入口
３・・・管路の出口                        ４・・・粒状物送込装置本体
５・・・搬送ベルト                        ６・・・搬送ベルトの収納孔
７・・・搬送ベルト用プーリー              ８・・・搬送ベルト用プーリーの軸
９・・・搬送ベルト駆動用減速モーター    １０・・・上部押圧ベルト
１１・・・上部押圧ベルト用プーリー        １２・・・上部押圧ベルト用プーリーの軸
１３・・・上部押圧ベルト密封用フェルト    １４・・・下部押圧ベルト
１５・・・下部押圧ベルト用プーリー        １６・・・下部押圧ベルト用プーリーの軸
１７・・・下部押圧ベルト密封用フェルト    １８・・・粒状物
【図１】
2013023386.tif 000003
【図２】
2013023386.tif 000004
【図３】
2013023386.tif 000005
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
高圧の流体輸送管路１に粒状物送込み装置４を結合して、搬送ベルト５、同用プーリー７、上下の押圧ベルト１０及び１４、同用プーリー１１及び１５で流体を密封し、搬送ベルト５の上面に連続して設けた多数の収納孔６に粒状物１８を収納した後、この搬送ベルト５の上面を押圧ベルト１０で押圧して、収納孔６を密封しながら搬送ベルト５を同用プーリー７の回転により管路１内に移動することにより収納孔６内の粒状物１８を順次管路１内の流れに送出するようにすることを特徴とする高圧の流体輸送管路を密封しながらこの管路に粒状物を連続して送込む方法。
【手続補正２】
【補正対象書類名】明細書
【補正対象項目名】全文
【補正方法】変更
【補正の内容】
【発明の詳細な説明】
【技術分野】
【０００１】  本発明は磁石、金属部材、医薬食品等の粒状物を流体輸送する分野。
【背景技術】
【０００２】  粒状物を流体輸送管路で送込む場合はこれを副管路に入れ、流れを切り替えて粒状物を本管路に戻す必要があって、多数の粒状物を連続して管路に送込む煩雑な動作が多く行われている。
【発明の表示】
【発明が解決しようとする課題】
【０００３】  本発明は前記管路の切り替えの煩雑さの代りに粒状物を連続、円滑に輸送しようとするものである。
【課題を解決するための手段】
【０００４】  本発明は高圧の流体輸送管路１に粒状物送込装置４を結合して搬送ベルト５、同用プーリー７、上下の押圧ベルト１０及び１４、同用プーリー１１及び１５で流体を密封し、搬送ベルト５の上面に連続して設けた多数の収納孔６に粒状物１８を収納した後、この搬送ベルト５の上面を押圧ベルト１０で押圧して、収納孔６を密封しながら搬送ベルト５を同用プーリー７の回転により管路１内に移動することにより収納孔６内の粒状物１８を順次管路１内の流れに送出するようにするものである。
【発明の効果】
【０００５】  本発明により流体輸送管路内で互いに接触又は接合してはならない磁石及び粘着物等の粒状物を連続して次々と流体輸送することが出来る。
【図面の簡単な説明】
【０００６】
【図１】本発明の実施形態の実施例として、流体輸送管路に粒状物送込装置を取付けた状態の縦断面図
【図２】図１の平面図
【図３】図１のＸ−Ｘ断面図
【発明を実施するための形態】
【０００７】  高圧の流体輸送管路１に粒状物送込装置４を結合して搬送ベルト５の外周面、搬送ベルト用プーリー７の側面、上下の押圧ベルト１０及び１４の外周面及び押圧ベルト用プーリー１１及び１５の側面で管路１内の流体を密封し、搬送ベルト５の上面に連続して設けた多数の収納孔６に磁石、金属部材、医薬食品等の粒状物１８を収納した後、この搬送ベルト５の上面を上部押圧ベルト１０で押圧することにより収納孔６を密封しながら搬送ベルト５を駆動用減速モーター９の動力で搬送ベルト用プーリー７を回転させて管路１内に引き込む、従って収納孔６内の粒状物１８は密封されたまま、順次管路１内の流れの中に送り出されるようになる。そして高圧の流体により管路の出口３より次工程に移送される。
【０００８】  搬送ベルト５の下部も下部押圧ベルト１４で押圧されており、収納孔６は密封されており、上下の押圧ベルト１０及び１４の外周はフェルト１７により密封されている。
【符号の説明】
【０００９】  １・・・流体輸送管路                    ２・・・管路の入口
３・・・管路の出口                      ４・・・粒状物送込装置本体
５・・・搬送ベルト                      ６・・・搬送ベルトの収納孔
７・・・搬送ベルト用プーリー            ８・・・搬送ベルト用プーリーの軸
９・・・搬送ベルト駆動用減速モーター  １０・・・上部押圧ベルト
１１・・・上部押圧ベルト用プーリー      １２・・・上部押圧ベルト用プーリーの軸
１３・・・上部押圧ベルト密封用フェルト  １４・・・下部押圧ベルト
１５・・・下部押圧ベルト用プーリー      １６・・・下部押圧ベルト用プーリーの軸
１７・・・下部押圧ベルト密封用フェルト  １８・・・粒状物